(57)【要約】      （修正有）【課題】情報交換システムを用いてアップロードされた楽曲の提供・販売を行うと共に当該楽曲が既存の楽曲との大まかな類否を判断する。【解決手段】音楽創作者１は創作した楽曲をアップロードし、アップロード音楽データ５は抽出手段６において最初の２小節分が抽出される。比較手段７は抽出された最初の２小節と、既成作品データべース４Ａに登録されている既存の楽曲データの各々の最初の２小節とを比較手段７において比較、既存の楽曲との大まかな類否を判断。類似するものが発見されない場合には販売／視聴用作品データべース９に当該楽曲データを出力し、ユーザー２はこのデータにアクセスして楽曲の購入、商品化権の取得などを行う。類似と判断した場合はこの情報を音楽創作者１に提供する。音楽創作者１は楽曲の一部変更等により非類似とするよう変更、或いは類似しないと判断したときは前記販売／視聴用作品データべース９にアップロードする。【選択図】図２
2014026324.tif 000002
【特許請求の範囲】
【請求項１】
インターネット等の情報交換システムを用いて音楽創作者とユーザー及びこの両者の間に介在する管理人との間に成立する音楽に関する情報を交換するシステムであって、管理人のサーバーは音楽創作者からアップロードされた音楽データを蓄積する手段と、ユーザーの求めに応じて当該蓄積された音楽データを配信或いは販売する手段と、アップロードされた音楽と既存の音楽との類否を判断する手段のうち、少なくとも音楽創作者からアップロードされた音楽データを蓄積する手段と、ユーザーの求めに応じて当該蓄積された音楽データを配信或いは販売する手段とを有することを特徴とする音楽に関する情報の交換システム。
【請求項２】
前記管理人のサーバーにはアップロードされた音楽と既存の音楽との類否を判断する手段が設けられ、当該類否判断手段はアップロードされた音楽の一部を抽出する手段と、既存の音楽を記録する手段と、抽出された部分と対応する部分を抽出した既存の音楽データとを比較する手段が設けられていることを特徴とする請求項１記載の音楽に関する情報の交換システム。
【請求項３】
アップロードされた音楽の一部を抽出する手段は当該音楽の最初の２小節を抽出するよう構成され、比較手段は当該抽出されたアップロード音楽の最初の２小節と既存の音楽の最初の２小節とを比較するよう構成されていることを特徴とする請求項２記載の音楽に関する情報の交換システム。
【請求項４】
比較手段がアップロードされた音楽と既存の音楽とが類似すると判断した場合に、当該判断と既存の音楽データとを音楽創作者に提供する手段をサーバーが有していることを特徴とする請求項２又は３記載の音楽に関する情報の交換システム。
【発明の詳細な説明】
【技術分野】
【０００１】
本発明はインターネット等の情報交換手段を用いて作曲家や作詞家等の音楽の創作者と、個人或いは音楽を商品として取り扱う業者等のユーザーとの間に形成されるシステムであり、特にソーシャル・ネットワーク・サービスと通称される情報授受サービスに好適なサービスであって、音楽の創作者に対して自己の創作した音楽を広く公布する機会を与えるよう構成したシステムに関するものである。
【背景技術】
【０００２】
昨今、インターネットを介して音楽を配信し、或いは聴取者による音楽のランキング付け等のサービスを行うシステムが下記特許文献記載の発明の如く少なからず提供されている。
【特許文献１】特開２００３−０１５６６２号公報
【特許文献２】特開２００４−２８７９６５号公報
【特許文献３】特開２００２−１８９８７０号公報
【特許文献４】特開２００２−０４４６２８号公報
【特許文献５】特開２００６−２５９９０７号公報
【０００３】
上記各特許文献記載の発明は、楽曲発表の環境を整えることに重点を置くもの（引用文献１）、特定の音楽を推奨することに重点を置くシステム（引用文献２）、音楽の配信に重点を置くシステム（引用文献３、引用文献４）、音楽の配信・音楽の記録媒体の販売・これら配信や販売のシステム等を総合的に実行するシステム（引用文献５）等である。
【発明の開示】
【発明が解決しようとする課題】
【０００４】
従来のシステムは音楽の配信・販売、ランキング付け等、これらの行為の対象となる独立完成した商品として個々の音楽を取り扱うことを前提としている。
しかしながら、従来のシステムでは楽曲単独或いは歌詞を付した楽曲（以下これらを総合的に「音楽」とする）を創作した者（以下これらの行為をする者を「音楽創作者」とする）が提示した音楽が、商品性或いは洗練性等をより高めた作品とする機会を得ることはできない。つまり音楽創作者と、音楽の聴取者即ち個人聴取者や、音楽プロダクション、レコード販売会社等、音楽を商品として社会に提示する企業体聴取者との間に何らの情報交換システムを構築されていないため、本来であれば広く社会に受け入れられるであろう音楽が徒に消滅してしまう事態が想定される。
【課題を解決するための手段】
【０００５】
即ち本発明は、個人或いは音楽プロダクション、レコード販売会社等、音楽を商品として社会に提示する企業体聴取者（聴取者）と音楽創作者との間で情報交換を可能にするため、両者の間に介在する管理人との３者間で形成される情報交換システムであって、上記の従来システムに情報交換システムを構築することにより音楽創作者及びその音楽を広く社会に提示する機会を与え、かつ要すれば他人の音楽との類否を形式的に判断するシステムを設けて、著作権法等の規定に抵触するリスクを低減できるよう構成した音楽の配信・変成（アレンジ）システムである。
【発明の効果】
【０００６】
音楽創作者と聴取者との間で相互に情報交換可能でるあるため、音楽創作者は聴取者の意見や感想を反映させて自己の音楽をより洗練したものとして商品価値を高めることができ、かつ聴取者側はこの音楽を直接鑑賞したり、商品として社会にプロモートしたり販売するなど、両者にとって有利な環境を設定することが可能となる。
【実施例１】
【０００７】
以下本発明の実施例を図面を参考に具体的に説明する。
図１は本発明に係るシステムの基本構成を示す。
本システムは音楽を創作する者、即ち作曲者、作詩者（以下「音楽創作者」とする）或いはこれらの者に加えて既に存在する楽曲を編曲した者（以下「アレンジ者」とする）１と、個人或いは音楽プロダクション、レコード販売会社等、音楽を商品として社会に提示する企業体聴取者たるユーザー（聴取者）２と、音楽創作者１とユーザー２との間に介在し、両者の情報の授受を可能としかつ必要な情報を提供する管理人３との間に形成される音楽に関する情報授受システムである。
【０００８】
また上記の情報システムを構築する情報システムとしてはインターネットが好適であるが、本発明は情報システムの種類の如何を問うものではなく、従ってインターネットに限らず各種ローカルエリアネットワーク等も当然利用可能である。
【０００９】
先ず、管理人の基本的機能としては音楽創作者１とユーザー２との間における情報の授受を管理する。この場合例えば音楽創作者から特定のユーザーに対して自己の音楽の配信を要請する場合には指定されたユーザーに対して所定の音楽を配信する等のサービスも実施する。具体的には音楽がポップス系である場合には、この系統の音楽を主に取り扱う所定の音楽プロダクション、レコード販売会社等に対して当該音楽を配信する等である。
また必要に応じて、所定のデータを蓄積し、このデータの提供或いはこのデータに基づいて後述するような所定の判断等を行う。
【００１０】
図中符号３Ａ乃至３Ｄは管理人３のサービスを実行するための手段或いはデータを示す。先ず符号３Ａは管理人３にアップロードされた音楽創作者１の音楽に関して既に存在する音楽との大まかな類否の判断を行う手段を示す。具体的には既に創作済の音楽の一部をデータとして記録しておき、アップロードされた音楽と当該データとを比較してその類否の大まかな判断をおこない、類似すると判断された既存音楽のデータがヒットした場合、音楽創作者１に対してその結果を連絡するシステムである。この連絡を受ければ音楽創作者１は著作権法上の抵触の可能性を考慮して、音楽の変更、具体的には楽曲の変更或いは歌詞の変更等が可能となる。この判断のシステムは具体的には図２を用いてより具体的に後述する。
【００１１】
なお、著作権に関連して膨大な音楽データを管理人３が蓄積・管理することは必ずしも容易ではないため、著作権管理会社のサーバー４により、このサーパー４に蓄積されたデータ４Ａ、４Ｂを利用して前記サービスを実行するようにしてもよい。
【００１２】
次に管理人３における符号３Ｂで示すものは視聴データベースであって、音楽創作者１からアップロードされた音楽データが例えばジャンル別に記録されており、ユーザー２はこの視聴データベース３Ｂにアクセスすることにより所望のジャンルの音楽を選択、試聴することができる。また視聴等により、ユーザー２が所定の音楽を購入したい場合（主に個人ユーザー）、或いは所定の音楽を商品として取扱いたい場合（主に音楽プロダクション、レコード販売会社等の法人ユーザー）にはネット販売手段３Ｃを用いて販売、或いは商品化権を許諾する。この場合は当然のことながら管理人３は音楽創作者１から販売権や商品化権の許諾を得ていることが前提となる。
【００１３】
なお、上記の場合において各音楽のアクセス回数をチエックすることによりアクセス数に基づいて各音楽のランキングを設定する等のサービスを実施することも可能である（アクセスチエック手段３Ｄ）。
【実施例２】
【００１４】
図２は本発明の第２の実施例を示す。なお、同図は前記管理者３（具体的には管理者３のサーバー）の機能を中心としたシステムを示している。
先ず、本システムは音楽創作者からアップロードされた音楽をユーザーに対して配信・提供するものであるが、配信・提供する音楽を既存の音楽との法的な抵触関係のない商品価値の高いものとして提供する点に大きな特徴を有する。以下具体的に説明する。
【００１５】
音楽創作者１は自己の創作した音楽をインターネット等の情報交換手段（以下インターネットで説明する）により管理者３のサーバーに対してデジタルデータ５としてアップロードする。このアッロードされた音楽データ５は従来システムと同様に管理者３においてそのままファイリングされてユーザー２に提供することももとより可能である。
以下は、上記従来システムと異なり本システムの特徴であるアップロード音楽データ５と既存の音楽との大まかな類否を判断し、かつその判断結果に対応して本システムを運用する点について具体的に説明する。
【００１６】
アップロードされた音楽データ５はサーバー内の抽出手段６に出力され、当該音楽データ５の所定部分、通常は当該音楽データ５の最初の２小節分が比較対象サンプルとして抽出される。一方管理者３のサーバーは著作権管理会社のサーバー４のデータベース４Ａにアクセスし、比較手段７において既存の音楽のデータと前記サンプルとの比較を行う。この場合、既存の音楽データは膨大であり、かつ例え２小節分とはいえ比較のアゴリズムを複雑化するとその比較作業の負担が極めて大きくなる。このため、例えば音楽の楽曲において、前記サンプルと既存音楽の楽曲の２小節分の楽曲の音譜がたとえばそれぞれ２０であるとして、時系列に配置された２０の音譜のうち１５の音譜が同じであれば、両者が類似する可能性があると判断する等である。要するに、この判断はあくまでも機械的な判断であり、この結果をもって著作権法上の抵触等の法的判断を行うものではない。
【００１７】
上記比較判断において前記アップロード音楽データ５が既存の音楽と類似する可能性があるとサーバーが判断した場合には当該アップロード音楽データ５と既存の音楽のデータとを添えて音楽創作者１に情報提供する。この提供情報８を受けた音楽創作者１は自己判断により音楽の一部変更を行い、或いは抵触しないと判断した場合には再度同音楽をアップロードする。即ち管理者３の行う類否判断、情報の提供はあくまでも音楽創作者１の音楽創作に資するもの、あるいは間接的には当該音楽を商品化したユーザーにおける著作権法上の抵触問題の危険性を低減するためのサービスではあるが、最終的には音楽創作者１や商品化する者がその自己責任において商品化等の可否を判断するものである。
【００１８】
サーバーにおいて類似の可能性があると判断したが、音楽創作者１や商品化をする者ががその可能性を否定した音楽、或いはサーバーにおいて既存の音楽と類似関係が発見されなかった音楽は、販売／視聴用データべース９に格納される。各ユーザー２はこのデータべース９に格納されている各種の音楽の中から所望の音楽の配信を受けたり購入を行ったりする（符号１０）。またサーバーに対して図１に示したものと同様のランキング設定手段３Ｄを設け、各音楽に対するユーザーのアクセス数や各音楽の評価をデータ化しておき、このデータを公開することによって音楽の配信や購入をプロモートするように構成することも可能である。
【産業上の利用可能性】
【００１９】
以上本発明を、対象物として音楽を例に説明したが、絵画やきぐるみ、キャラクター等の視覚に訴えるものについても応用可能である。
【図面の簡単な説明】
【００２０】
【図１】本発明の第１の実施例を示すシステムのブロック図である。
【図２】本発明の第２の実施例を示すシステムのブロック図である。
【００２１】
１  音楽創作者
２  ユーザー
３  管理人
【図１】
2014026324.tif 000003
【図２】
2014026324.tif 000004